(57)【要約】【課題】本発明は、編地の途中で左右に分岐する分岐部で、左右の編目を交差させることで分岐部を強化する場合に、容易に分岐部での交差を編成でき、且つ外観を損なうことのない分岐部の編成方法とその編地を提供することを目的とする。【解決手段】横編機を用いて、交差部の形成に先立って、分岐部を境界として編地を左右に分離して編成を行なう際に、分離して編む編地の分岐部を挟む左右の編目のそれぞれに対して、編地の裏側で増し目を形成し、続いて増し目とそれに対峙する表側の編目に続く新たな編目を袋編みで形成した後、分岐部を挟む左右の編目を交差して交差部を形成する。【選択図】図２
2010285715.tif 000002
【特許請求の範囲】
【請求項１】
少なくとも前後一対の針床を有する横編機を用いて、編地を分岐部で左右に分岐して編成する際に、分岐部を挟んで位置する少なくとも左右一対の編目を交差させることで分岐部に交差部を形成して分岐部を強化した分岐部を有する編地の編成方法において、
前記交差部の形成に先立って、分岐部を境界として編地を左右に分離して編成を行なう際に、分離して編む編地の分岐部を挟む左右の編目のそれぞれに対して、編地の裏側で増し目を形成し、続いて増し目とそれに対峙する表側の編目に続く新たな編目を袋編みで形成した後、分岐部を挟む左右の編目を交差して交差部を形成することを特徴とする分岐部を有する編地の編成方法。
【請求項２】
前記分岐部を挟む左右の編目の交差は、前記袋編みされた表側の編目と裏側の編目を目移しにより重ねた後に行なうことを特徴とする請求項１記載の分岐部を有する編地の編成方法。
【請求項３】
分岐部で交差部を形成した後、これに続いて編成される左右の編地部分の編成では、前記分岐部に続く側端部の編成を、編地の裏側で増し目を形成し、続いて増し目とそれに対峙する表側の編目に続く新たな編目を袋編みで形成した後、袋編みで形成した表側と裏側の編目を重ねることを繰り返し行なうことを特徴とする請求項1または２記載の分岐部を有する編地の編成方法。
【請求項４】
横編機を用いて編成され、編み幅の途中で左右に分岐される分岐部を有する編地において、分離して編む編地の分岐部を挟む左右の編目のそれぞれに対して、編地の裏側に増し目が形成され、該増し目と該増し目に対峙する表側の編目に続く新たな編目が袋編みで形成されており、左右の袋編み部分の編目が交差し、且つ重ねられていることを特徴とする分岐部を有する編地。
【発明の詳細な説明】
【技術分野】
【０００１】
本発明は、編み幅の途中で編地を左右に分岐させる分岐部を有する編地において、分岐部を強化した編地の編成方法およびその編地に関する。
【背景技術】
【０００２】
編み幅の途中で左右に分岐させた編地には、Ｖネックのベストやセーターなどがある。例えばＶネックのベストの前身頃の編成を行なう場合、まず１つの給糸口を使用して衿首の分岐部が形成される編目コースまでの全幅部の編成を行なう。そして分岐部から左肩部と右肩部に左右に分岐させて編成を行い、衿首を形成する。一方の肩部の編成には、全幅部の編成で使用してきた給糸口をそのまま使用して編成を行い、他方の肩部の編成にはそれまで使用してきた給糸口に換えて他の給糸口を使用する。このようなＶネックのニットウエアでは、着用時に分岐部には横方向に張力がかかる。そして分岐部の編糸にその編糸の伸度を越えるような大きな張力がかかった時には、その編糸が切れる虞がある。本願出願人は分岐部の強化について提案している。（特許文献１）。
【先行技術文献】
【特許文献】
【０００３】
【特許文献１】特許第３９６７９２２号公報
【発明の概要】
【発明が解決しようとする課題】
【０００４】
本発明の目的は、上記特許文献１の改良であって、分岐部を強化し、且つ外観を損なうことのない分岐部の編成方法とその編地を提供することを目的とする。
【課題を解決するための手段】
【０００５】
本発明は、少なくとも前後一対の針床を有する横編機を用いて、編地を分岐部で左右に分岐して編成する際に、分岐部を挟んで位置する少なくとも左右一対の編目を交差させることで分岐部に交差部を形成して分岐部を強化した分岐部を有する編地の編成方法において、前記交差部の形成に先立って、分岐部を境界として編地を左右に分離して編成を行なう際に、分離して編む編地の分岐部を挟む左右の編目のそれぞれに対して、編地の裏側で増し目を形成し、続いて増し目とそれに対峙する表側の編目に続く新たな編目を袋編みで形成した後、分岐部を挟む左右の編目を交差して交差部を形成することを特徴とする分岐部を有する編地の編成方法である。
【０００６】
また本発明で、前記分岐部を挟む左右の編目の交差は、前記袋編みされた表側の編目と裏側の編目を目移しにより重ねた後に行なうことを特徴とする。
【０００７】
また本発明で、分岐部で交差部を形成した後、これに続いて編成される左右の編地部分の編成では、前記分岐部に続く側端部の編成を、編地の裏側で増し目を形成し、続いて増し目とそれに対峙する表側の編目に続く新たな編目を袋編みで形成した後、袋編みで形成した表側と裏側の編目を重ねることを繰り返し行なうことを特徴とする。
【０００８】
さらに本発明は、横編機を用いて編成され、編み幅の途中で左右に分岐される分岐部を有する編地において、分離して編む編地の分岐部を挟む左右の編目のそれぞれに対して、編地の裏側に増し目が形成され、該増し目と該増し目に対峙する表側の編目に続く新たな編目が袋編みで形成されており、左右の袋編み部分の編目が交差し、且つ重ねられていることを特徴とする分岐部を有する編地である。
【発明の効果】
【０００９】
本発明では、分岐部を境界として左右でそれぞれ編地の裏側で増し目を形成し、増し目とそれに対峙する表側の編目に続く新たな編目を袋編みで形成した後、袋編みされた編目をそれぞれ分岐部の境界を越えて交差させる。増し目を形成することで、分岐部での交差に用いる編糸の本数が増加して強度を上げることができる。また、袋編みすることで、編糸にゆとりができ、交差に用いる編目が突っ張ることなく目移しが容易になり、交差部および分岐部直近の編地も突っ張ることなく、綺麗に仕上げることができる。
【００１０】
また、分岐部を挟んで左右でそれぞれ袋編みされた表側の編目と裏側の編目を目移しにより重ねた後に交差のための目移しを行なうため、少ない目移し工程で、効率良く編目の重ねと交差を実現できる。
【００１１】
また、分岐部に続く左右の編地部分の側端部は、編地の裏側で増し目を形成し、増し目とそれに対峙する表側の編目に続く新たな編目を袋編みで形成し、袋編みで形成された表側と裏側の編目を重ねる。このため、分岐後に延びる左右の編地部分の各側端部が厚みを増して強化することができる。また、側端部がしっかりしての側端部が延びるラインを綺麗に仕上げることができる。また、交差に用いる編目の形成時と同様に増し目と袋編みを行なっているため、分岐部と側端部における編地の外観も同様にできる。
【００１２】
また、本発明による編地は、編地が突っ張るなどの外観を損なうことがなく、分岐部が強化された編地である。
【図面の簡単な説明】
【００１３】
【図１】本発明の実施例であるＶネックのベストの前身頃１を示す図である。
【図２】本発明の実施例である前身頃1の分岐部２の編成図である。
【図３】本発明の実施例である前身頃1の分岐部２に続く部分の編成図である。
【図４】本発明の実施例である前身頃1の分岐部２に続く部分の編成図である。
【図５】図２で編成される分岐部近傍の編目を示す概略図である。
【発明を実施するための形態】
【００１４】
以下、本発明の実施例として、ベストのＶネック部の編成について説明する。以下の説明で編成に使用する横編機は、前後一対の針床を備えた２枚ベッド横編機であり、後針床が前針床に対してラッキング可能で、針床の上方に複数の給糸口を有するものである。編成図において、説明の便宜のため、針数を実際の編成より少なくしている。
【実施例】
【００１５】
図１は、Ｖネックのベストの前身頃１を示す図である。本実施例で編成されるベストの前身頃１はすべて天竺で編成される。図で示すように矢印Ｗの方向に向かって分岐部２まで編成される全幅部４と、分岐部２から左右に分岐して編成される右肩部６と左肩部７とから成る。符号８は開口、符号９は側端部である。全幅部４および右肩部６は給糸口１０を使用して編成し、左肩部７は給糸口１２を使用して編成する。破線Ｘ−Ｘは分岐部２における境界を示す。
【００１６】
図２は、図１で示す前身頃１の分岐部２の編成図である。図３および図４は、分岐部２に続く右肩部６と左肩部７の編成図である。各編成図において、図中左側の数字は編成ステップ（Ｓ）を示し、左右方向の矢印は編成方向を、上下方向の矢印は目移し方向を示し、ＦＢは前針床を、ＢＢは後針床を示す。大文字のＡ〜ＲはＦＢの編針を、小文字のａ〜ｒはＢＢの編針を示す。また、丸印はその編成ステップで形成される新たな編目または目移しされる編目を、Ｖ印はタックを、二重丸印は重ね目を示す。尚、その編成ステップでの編成に関係せず、編針に係止されたままの編目については図示を省略している。また、図１と同様にＸ−Ｘ線は分岐部２の境界を示す。また、ＦＢ側を表側、ＢＢ側を裏側と表現する場合もある。
【００１７】
以下、図２で示す編成ステップＳ１〜Ｓ１２について説明する。Ｓ１は、前身頃１の全幅部４の編成を示し、給糸口１０はキャリッジ（不図示）により左方向に移動され、ＦＢの編針Ｒ〜Ａで編目を形成する。Ｓ２以降は交差部の形成に先立つ編成として、給糸口１０と給糸口１１を使用する。
【００１８】
Ｓ２では、給糸口１１を使用して、左方向に編針Ｒ〜編針Ｊで編目を形成する。この時、編針Ｊと編針Ｋにて割増やし編成を行なう。即ち、表側であるＦＢの編針Ｊと編針Ｋで新たな編目２２を形成すると同時に、元々編針Ｊと編針Ｋで係止していた編目２１が目移しされて裏側であるＢＢの編針ｊと編針ｋで係止されるようになる。以上のようにして、ＢＢの編針ｊと編針ｋに増し目される。Ｓ３では、右方向にＢＢの編針ｊと編針ｋで編目３２を形成し、ＦＢの編針Ｌでタックする。Ｓ４では、左方向にＦＢの編針Ｋと編針Ｊで編目を形成する。Ｓ５では、右方向にＢＢの編針ｊと編針ｋで編目３３を形成し、ＦＢの編針Ｌ〜編針Ｒでも編目を形成する。上記Ｓ２〜Ｓ５において、増し目に対峙するＦＢの編針Ｊと編針Ｋおよび増し目を係止するＢＢの編針ｊと編針ｋで周回するように袋編みを行なうことで、それらに続く新たな編目を形成し、この部分が袋状につながった編地になる。
【００１９】
Ｓ６〜Ｓ９は、前述のＳ２〜Ｓ５の編成をＸ−Ｘ線で対称にしたものである。Ｓ６では、給糸口１０を使用して、右方向に編針Ａ〜編針Ｉで編目を形成する。この時、表側の編針Ｈと編針Ｉにて割増やし編成を行ない、裏側であるＢＢの編針ｈと編針ｉに増し目する。Ｓ７では、左方向にＢＢの編針ｉと編針ｈで編目を形成し、ＦＢの編針Ｇでタックする。Ｓ８では、右方向にＦＢの編針Ｈと編針Ｉで編目を形成する。Ｓ９では、左方向にＢＢの編針ｉと編針ｈで編目を形成し、ＦＢの編針Ｇ〜編針Ａでも編目を形成する。上記Ｓ６〜Ｓ９において、増し目に対峙するＦＢの編針Ｈと編針Ｉおよび増し目を係止するＢＢの編針ｈと編針ｉで周回するように袋編みを行なうことで、それらに続く新たな編目を形成し、この部分が袋状につながった編地になる。
【００２０】
Ｓ１０〜Ｓ１２は、分岐部の境界を越えて編目を交差させる工程である。本実施例では、分岐部を挟んで表側の編目を、増し目に続いて形成された裏側の編目に重ね、分岐部の境界を越えて交差させる。Ｓ１０では、編針Ｈ，Ｉおよび編針Ｊ、Ｋの編目を目移しして、それぞれ編針ｈ，ｉおよび編針ｊ，ｋの編目と重ねる。Ｓ１１では、分岐部の境界を越えて、編針ｊと編針ｋで係止する重ね目をそれぞれ編針Ｈと編針Ｉに目移しする。Ｓ１２では、分岐部の境界を越えて、編針ｈと編針ｉで係止する重ね目を編針Ｊと編針Ｋに目移しする。以上のようにして、分岐部で編目の交差が完了する。
【００２１】
Ｓ２およびＳ６で、増し目を行なっているため、交差部を形成する編糸の本数が増加し、分岐部の強化が図れる。Ｓ３〜Ｓ５およびＳ７〜Ｓ９で、増し目およびそれに対峙する編目に続けて袋編みを行なっているため、Ｓ１１とＳ１２での重ね目の目移し時に編糸にゆとりが有り、各編目が突っ張ることなく容易に目移しができる。本実施例での増し目は、割増やし編成によって一つの編目が割られて増し目が形成されているため、その増し目のループ長は短い。特にこのような場合には、上記の袋編みによる効果が大きい。
【００２２】
本実施例では、Ｓ１０〜Ｓ１２の目移し工程で交差部を形成したが、これに限らず他の方法で重ねと交差を行なってもよい。例えば、分岐部の境界を挟んで表側の編目同士を先に交差させた後、裏側の編目を分岐部の境界を越えて表側の編目と重ねるようにして、本件実施例とは異なる前後関係で編目を重ねても良い。この場合には、公知のホールディング技術（例えば、特許第２９９５４６４号公報を参照）を使用すれば良い。また、４枚ベッド機であれば、上部針床を使用すれば良い。何れの場合においても、本実施例で示した目移し方法の方が、工程数が少なくて済む。
【００２３】
次に図３および図４で示す分岐部２に続く右肩部６と左肩部７の編成について説明する。分岐部２で前述のように編目の交差を行なった後は、右肩部６と左肩部７の各編地をそれぞれ編成しながら、分岐部の境界に面する各側端部９Ｒ，９Ｌが分岐部の境界から遠ざかるように減らし編成を行なう。これにより、Ｖネック部の開口８を形成していく。
【００２４】
Ｓ１３〜Ｓ１６における編成は、前述のＳ２〜Ｓ５と同様である。Ｓ１３で、給糸口１１を使用して、左方向に編針Ｒ〜編針Ｊで編目を形成する。この時、編針Ｊと編針Ｋにて割増やし編成を行なう。Ｓ１４〜Ｓ１６における袋編みも、Ｓ３〜Ｓ５と同様に増し目とそれに対峙する表側の編目に続く新たな編目を袋編みで形成する。Ｓ１７では、編針Ｊ〜編針Ｏの編目を編針ｊ〜編針ｏに目移しし、編針ｋと編針ｌで重ね目ができる。Ｓ１８では、編針ｊ〜編針ｏの編目を編針Ｋ〜編針Ｐに目移しして減らしを行なう。これにより、左肩部７の側端部９Ｌが分岐部の境界から遠ざかる。
【００２５】
Ｓ１９〜Ｓ２４については、前述のＳ１３〜Ｓ１８の編成をＸ−Ｘ線で対称にしたものである。但し、給糸口１０を使用する。Ｓ２４で減らしを行なうことで、右肩部６の側端部９Ｒが分岐部の境界から遠ざかる。
【００２６】
Ｓ２５〜Ｓ２８については、前述のＳ１３〜Ｓ１６と略同様である。但し、Ｓ１８で減らし行なったため、編針の位置が針１本右にずれている。Ｓ１８では減らしを行なったが、Ｓ２９では減らしを行なわずに、編針ｋと編針ｌの編目を編針Ｋと編針Ｌに目移しして重ねる。
【００２７】
Ｓ３０〜Ｓ３４については、前述のＳ２５〜Ｓ２９の編成をＸ−Ｘ線で対称にしたものである。但し、給糸口１０を使用する。
【００２８】
Ｓ３４以降は、Ｓ１３〜Ｓ２４の減らしを含む工程と、Ｓ２５〜Ｓ３４の減らしを含まない工程とを例えば交互に繰り返すなど、所定のコースおきに行なうようにすれば、Ｖネック部の開口８を形成できる。
【００２９】
図３および図４で、袋編みによって最も分岐部の境界側の表側と裏側の編目をつなぐ編糸が生じ、且つ袋編みされた表側と裏側の編目が重ねられ、Ｖネックの開口部周縁の厚みが増して強化される。また、開口部周縁が波打ったり、カールすることを防止できるため、Ｖ字ラインが綺麗に仕上がる。また図２で示す交差部を形成する編目の編成と同様に、ここでも増し目の形成とそれに続く袋編みを行っているため、分岐部を含むＶネックの開口部周縁の見栄えや編地の厚みが同じになる。
【００３０】
図５は、図２のＳ１からＳ５における編針Ｊと編針ｊまたは編針Ｋと編針ｋで形成される編目のつながりを示す概略図である。図に示すように、割増やしにより増し目された編目２１はＦＢ（表）側からＢＢ（裏）側へ割られて引出されるように形成されるため、そのループ長は短い。それに続く袋編みを行なわずに、目移しを行なうのが困難な場合があり、編糸の許容張力を超えると糸切れする場合もある。表側と裏側の編目に続いて袋編みを行なって、それぞれ編目２３，３２，３３を形成し、編目２３と編目３３を目移しして交差部を形成するようにすれば、目移しが容易になり、分岐部の直近となる編地、特に編目２１，２２，３２の部分が突っ張ることがなく、編地の外観を損なわない。また、増し目形成後の袋編みによって、表側の編目２２，２３と裏側の編目３２，３３が形成されて、この部分のみ表裏２層の編目から成る袋状の編地となり、厚みが増している。図３および図４において、割増やしにより増し目を形成し、それに続く袋編みを行なっている箇所の編目のつながりも、図５と同じである。
【００３１】
本実施例における増し目形成後の袋編みは、例えばＳ２〜Ｓ５で示すように同方向に周回しているが、袋編みの方法はこれに限らない。例えば、Ｓ３の最後のタックの後、そのタックで折り返すように反転して、裏側の編針ｋ，ｊ、表側の編針Ｊ，Ｋの順に編成しても良い。
【００３２】
本実施例では、割増やしで増し目を形成したが、裏側の編針に掛け目を形成して増し目するようにしても良い。また、図２〜図４にて割増やしは左右で各２本の編針で行なったが、例えば各１本や各３本でも良く、それに続く袋編みの針本数もそれに応じて適宜変更すれば良い。
【００３３】
また、本実施例では、２枚ベッド機での前身頃１の編成を示したが、前身頃と後身頃の両端部が繋がった状態で横編機上で編成する公知の筒状編成を行なう場合でも、本発明を適用することができる。Ｖネックの前身頃における分岐部での編成を一実施例として示したが、本発明は上記実施例に限定されるものではなく、本発明の主旨に逸脱しない範囲において実施可能である。
【符号の説明】
【００３４】
１    前身頃
２    分岐部
６    右肩部
７    左肩部
８    開口
９    側端部
１０，１１    給糸口
２１，２２，２３，３２，３３    編目
【図１】
2010285715.tif 000003
【図２】
2010285715.tif 000004
【図３】
2010285715.tif 000005
【図４】
2010285715.tif 000006
【図５】
2010285715.tif 000007